(57)【特許請求の範囲】
【請求項１】
車輌に搭載されたオーディオユニットと、
前記車輌に設けられ、前記オーディオユニットを操作するスイッチと、
運転席の正面に配置されたメータディスプレイを有するメータユニットと、を備え、
前記オーディオユニットは、
操作入力部と、
運転席と助手席との間に配置された表示ディスプレイと、
音楽ファイルを記憶する記憶手段と、
前記音楽ファイルを再生する再生手段と、を有し、
前記メータディスプレイと前記表示ディスプレイは、前記車輌の運転者が視認可能なように設けられており、
前記メータディスプレイは、前記操作入力部又は前記スイッチの操作によって前記オーディオユニットに指示された操作内容情報を表示し、
前記操作内容情報は、ジャンル情報、アーティスト情報、アルバム情報、又はフォルダ情報を含み、
前記再生手段は、前記操作内容情報に対応した前記音楽ファイルを再生可能であり、
前記操作入力部又は前記スイッチは、前記メータディスプレイが前記操作内容情報を表示した後に、前記音楽ファイルを選択する操作が可能であり、
前記表示ディスプレイは、前記操作入力部又は前記スイッチの操作によって選択された前記音楽ファイルの曲名情報、ファイル名情報、又はトラック情報を表示し、
前記メータディスプレイは、前記操作入力部又は前記スイッチの操作によって前記音楽ファイルが選択された後も、前記音楽ファイルが選択される前の前記操作内容情報の表示を継続することを特徴とする車輌用情報表示装置。
【請求項２】
請求項１に記載の車輌用情報表示装置であって、
前記操作内容情報は、前記操作入力部又は前記スイッチの操作に基づいて前記オーディオユニットによって実行される最終的な操作結果とは相違することを特徴とする車輌用情報表示装置。
【発明の詳細な説明】
【技術分野】
【０００１】
本発明は、車輌の運転者に情報を表示する車輌用情報表示装置に関するものである。
【背景技術】
【０００２】
文献の参照による組み込みが認められる指定国については、２０１１年７月８日に日本国に出願された特願２０１１−１５１５９５号に記載された内容を参照により本明細書に組み込み、本明細書の記載の一部とする。【０００３】
自動車のステアリングホイールに設けられたステアリングスイッチによって、車載オーディオ装置を操作する技術が知られている（例えば特許文献１参照）。
【先行技術文献】
【特許文献】
【０００４】
【特許文献１】特開２００６−２０５８６６号公報
【発明の概要】
【発明が解決しようとする課題】
【０００５】
しかしながら、上記の技術では、運転者がステアリングスイッチの操作内容を確認することができず、運転者の意図した操作を車載オーディオ装置に対して適切に指示できたか判断し難いという問題がある。【０００６】
本発明が解決しようとする課題は、運転者が操作内容を容易に確認することができる車輌用情報表示装置を提供することである。
【課題を解決するための手段】
【０００７】
本発明では、メータユニットの表示部が、操作入力部又はスイッチの操作によってオーディオユニットに指示された操作内容情報を表示することによって、上記課題を解決する。
【発明の効果】
【０００８】
本発明によれば、運転者は、メータユニットの表示部を介して操作内容情報を視認することができるので、操作内容を容易に確認することができる。
【図面の簡単な説明】
【０００９】
【図１】図１は、本発明の実施形態における車輌用情報表示装置を示す斜視図である。
【図２】図２は、本発明の実施形態における車輌用情報表示装置の構成を示すブロック図である。
【図３】図３は、本発明の実施形態における車輌用情報表示装置の制御を示すフローチャートである。
【図４】図４（ａ）及び図４（ｂ）は、図３の制御を実行する前の表示ディスプレイ及びメータディスプレイの画面を示す図であり、図４（ｃ）は、図３の制御を実行した際のメータディスプレイの画面を示す図である。
【図５】図５（ａ）は、アルバム変更直後の曲名リストの表示例を示す図であり、図５（ｂ）は、選曲中の曲名リストの表示例を示す図である。
【発明を実施するための形態】
【００１０】
以下、本発明の実施形態を図面に基づいて説明する。
【００１１】
図１は本実施形態における車輌用情報表示装置を示す斜視図、図２は本実施形態における車輌用情報表示装置の構成を示すブロック図である。
【００１２】
本実施形態における車輌用情報表示装置１０は、図１及び図２に示すように、オーディオユニット２０と、メータユニット３０と、ステアリングスイッチ４０と、を備えており、自動車１の車室内において運転者が着座する運転席の周囲に配置されている。
【００１３】
オーディオユニット２０は、オーディオ制御部２１と、記憶部２２と、音楽再生部２３と、操作入力部２４と、表示ディスプレイ２５と、外部機器接続部２６，２７と、を備えている。
【００１４】
オーディオ制御部２１は、オーディオユニット２０の各部２２〜２７を制御する。
【００１５】
記憶部２２は、例えばハードディスクから構成されており、ＣＤ等に記憶されていた音楽ファイルが多数個ダビングして記憶されている。記憶部２２に記憶されている音楽ファイルのフォーマットとしては、例えば、ＭＰ３（MPEG AUDIO LAYER3）形式、ＷＭＡ（Windows （登録商標） Media Audio）形式、ＡＡＣ（Advanced Audio Coding）等を例示することができる。
【００１６】
これらの音楽ファイルには、楽曲の音楽データに加えて、当該楽曲の属するジャンル、当該楽曲のアーティスト、当該楽曲の属するアルバム、当該楽曲の曲名等のタグ情報が含まれている。
【００１７】
そして、記憶部２２には、これらのタグ情報に基づいて、例えば、ジャンル、アーティスト、アルバムの順でフォルダの階層構造が形成されており、最下位のフォルダ（アルバム）内に音楽ファイルが格納されている。
【００１８】
具体的には、同一のジャンルに属するアーティストが同一のジャンル（フォルダ）に格納され、同一のアーティストに属するアルバムが同一のアーティスト（フォルダ）に格納されており、それぞれのアルバムのフォルダ内に、当該アルバムに対応する音楽ファイルが格納されている。
【００１９】
音楽再生部２３は、ＭＰ３プレーヤ、ＷＭＡプレーヤ、ＡＡＣプレーヤ等から構成されており、記憶部２２に記憶された任意の音楽ファイルを選択して再生することが可能となっている。この音楽再生部２３によって再生された音楽は、特に図示しない音声出力部によって音声信号を音波に変換した上でスピーカ等を介して出力される。
【００２０】
また、本実施形態における音楽再生部２３は、運転者の操作入力部２４やステアリングスイッチ４０の操作によって指示されたジャンル、アーティスト、又はアルバムのフォルダ内に格納された音楽ファイルを順次再生することも可能となっている。
【００２１】
なお、オーディオユニット２０が、ラジオ、ＣＤプレーヤ、ＭＤプレーヤ、ＤＶＤプレーヤ、テレビ等の他のオーディオ機能を備えてもよいし、ナビゲーション機能等が付加されていてもよい。
【００２２】
操作入力部２４は、例えば複数の操作キーや操作ボタン２４１等から構成されている。運転者は、この操作入力部２４を介してオーディオユニット２０に対して操作入力を行うことが可能となっている。なお、表示ディスプレイ２５をタッチパネルで構成する場合には、この操作入力部２４をタッチパネル上に表示されたキーやボタンで構成してもよい。
【００２３】
表示ディスプレイ２５は、例えば液晶ディスプレイや有機ＥＬディスプレイ等から構成されている。この表示ディスプレイ２５は、例えばオーディオユニット２０が実行（処理）している情報を表示することが可能となっており、図４（ａ）に示す例では、音楽再生部２３が現在再生している音楽ファイルのフォルダ情報（“Ｆ０１”）やトラック情報（“Ｔ０１”）を表示している。なお、オーディオユニット２０がナビゲーション機能を有している場合には、この表示ディスプレイ２５に、オーディオに関する情報に加えて、地図情報、渋滞情報、経路案内情報等を表示してもよい。
【００２４】
第１の外部機器接続部２６は、例えば、Bluetooth（登録商標）に対応した無線通信部や、USBコネクタ等の有線接続部を有している。この第１の外部機器接続部２６に、携帯電話やポーダブル音楽プレーヤ等の外部機器５０を接続することで、オーディオユニット２０を介して当該外部機器５０を操作したり、当該外部機器５０に格納された音楽ファイルを、オーディオユニット２０を介して出力することが可能となっている。
【００２５】
第２の外部機器接続部２７も同様に、例えば、Bluetoothに対応した無線通信部や、USBコネクタ等の有線接続部を有している。この第２の外部機器接続部２７に、マイク等の音声入力装置６０を接続することで、当該音声入力装置６０を介してオーディオユニット２０を音声認識によって操作することが可能となっている。
【００２６】
メータユニット４０は、メータ制御部４１と、各種のメータ４２と、メータディスプレイ４３と、を備えている。メータ制御部４１は、特に図示しない車輪回転センサやクランクポジションセンサから検出信号を受信可能となっており、スピードメータやタコメータ等のメータ４２に車速やエンジン回転数を表示するよう指示する。なお、メータ４２に、燃料残量を示す燃料計等を含んでもよい。
【００２７】
メータディスプレイ３３は、例えば液晶ディスプレイや有機ＥＬディスプレイから構成されており、メータ制御部３１から送信される自動車１の各種情報やナビゲーション機能からの情報等を表示することが可能となっている。自動車１の各種情報としては、例えば、自動車１の警告情報、メンテナンス情報、走行情報等を例示することができる。
【００２８】
警告情報としては、例えば、半ドア警告、トランク閉め忘れ警告、パーキングブレーキ戻し忘れ警告、燃料残量警告等を例示することができる。また、メンテナンス情報としては、例えば、タイヤ交換時期、オイルフィルタ交換時期、エンジンオイル交換時期等を例示することができる。また、走行情報としては、例えば、オドメータ、トリップメータ、平均燃費、平均車速、走行時間、走行距離、外気温等を例示することができる。
【００２９】
また、本実施形態のメータディスプレイ３３は、こうした自動車１の各種情報やナビゲーション機能からの情報に加えて、オーディオユニット２０から送信されるオーディオ情報（後述）も表示することが可能となっている。
【００３０】
なお、メータディスプレイ３３に表示する内容は特に限定されない。例えば、スピードメータやタコメータ等を専用のメータ３２とせずに、全てのメータ類、表示灯、警告灯等を一つのメータディスプレイ３３に表示してもよい。或いは、オーディオ情報のみを表示するための専用のディスプレイをメータユニット３０に設けてもよい。
【００３１】
ステアリングスイッチ４０は、図１に示すように、自動車１のステアリングホイール２に設けられた幾つかの操作キー４１から構成されており、運転者がステアリングホイール２を把持したまま、オーディオユニット２０の操作を行うことが可能になっている。なお、ステアリングスイッチ４０によって、オーディオユニット２０以外の機器（例えば、上述の外部機器５０等）の操作が可能であってもよい。
【００３２】
本実施形態では、運転者がこのステアリングスイッチ４０を操作することで、オーディオソースの切り換え、楽曲の再生／停止操作、音量調節等が可能となっており、ＣＤモードにおいては、所望の曲や、所望のジャンル、アーティスト、又はアルバムを選択することが可能となっている。なお、本実施形態では、ＣＤモードとは、記憶部２２に記憶されたＣＤコンテンツを音楽再生部２３が再生するモードを意味する。また、オーディオユニット２０の操作は、操作入力部２７やステアリングスイッチ４０によるものに特に限定されず、自動車１の車室内に設置された操作ボタンを操作することで、運転者がオーディオユニット２０の操作を行ってもよい。
【００３３】
以上に説明したステアリングスイッチ４０は、例えばＣＡＮ通信等を介してメータユニット３０と接続されており、メータユニット３０は、運転者のステアリングスイッチ４０の操作によって生成された指令信号を、ステアリングスイッチ４０から受信することが可能となっている。
【００３４】
また、メータユニット３０とオーディオユニット２０とは、例えばＣＡＮ通信等を介して相互に通信可能に接続されており、メータユニット３０は、ステアリングスイッチ４０から受信した指令信号を、オーディオユニット２０に送信することが可能となっている。
【００３５】
一方、オーディオユニット２０は、例えばＣＡＮ通信等を介して、オーディオに関するオーディオ情報をメータユニット３０に送信することが可能となっている。そして、メータユニット３０は、オーディオユニット２０から受け取ったオーディオ情報を、メータディスプレイ３３に表示することが可能となっている。
【００３６】
本実施形態におけるオーディオ情報には、少なくとも操作内容情報が含まれている。この操作内容情報とは、運転者の操作入力部２４又はステアリングスイッチ４０の操作によってオーディオユニット２０に指示された具体的な内容（換言すれば、操作入力部２４又はステアリングスイッチ４０の操作に伴ってオーディオユニット２０内において直接的に変化した内容）であり、音楽ファイルの曲名情報、ファイル名情報又はトラック情報を除く、例えば、ジャンル情報、アーティスト情報、又はアルバム情報等である。この操作内容情報は、操作入力部２４又はステアリングスイッチ４０の操作に基づいてオーディオユニットによって実行された最終的な操作結果とは相違する。
【００３７】
なお、オーディオ情報には、操作内容情報以外の情報が含まれてもよく、例えば、オーディオユニット２０が現在処理している内容（例えば、現在選択されているオーディオソース情報等）が含まれてもよい。
【００３８】
次に、本実施形態における車輛用情報表示装置１０の制御について、図３〜図５を参照しながら、運転者がステアリングスイッチ４０を操作することでアルバムを変更した場合を例にとって説明する。
【００３９】
図３は本実施形態における車輛用情報表示装置の制御を示すフローチャート、図４（ａ）〜図４（ｃ）は図３の制御の実行前後の各ディスプレイの画面を示す図、図５（ａ）はアルバム変更直後の曲名リストの表示例を示す図であり、図５（ｂ）は選曲中の曲名リストの表示例を示す図である。
【００４０】
先ず、図３のステップＳ１０に示すように、オーディオユニット２０のオーディオ制御部２１は、運転者がステアリングスイッチ４０によってアルバムを変更する操作をしたか否かを判断する。
【００４１】
このときのステアリングスイッチ４０の具体的な操作方法としては、次のような方法を例示することができる。すなわち、運転者は、先ず、オーディオユニット２０の表示ディスプレイ２５に表示された種別（例えば“ジャンル”、“アーティスト”、“アルバム”等）の中から“アルバム”を操作キー４１で選択及び決定し、次いで、リスト表示されたアルバム群の中から所望のアルバムを操作キー４１で選択することで、アルバムを変更する。
【００４２】
なお、運転者がステアリングスイッチ４０を操作する前（図３のステップＳ１０にてＮＯ）は、図４（ａ）に示すように、オーディオユニット２０の表示ディスプレイ２５に、再生中の楽曲が属するフォルダ情報２５１（“Ｆ０１”）とトラック情報２５２（“Ｔ０１”）が表示されている。一方、メータユニット３０のメータディスプレイ３３には、図４（ｂ）に示すように、オーディオシステム２０とは無関係の画像３３１（例えば、自動車１の各種情報やナビゲーション機能からの情報等）が表示されている。
【００４３】
そして、運転者がステアリングスイッチ４０によってアルバムを変更する操作を行うと（図３のステップＳ１０にてＹＥＳ）、図３のステップＳ２０において、ステアリングスイッチ４０から指令信号がメータユニット３０を介してオーディオユニット２０に送信される。
【００４４】
そして、オーディオユニット２０のオーディオ制御部２１は、ステアリングスイッチ４０からの指令信号に基づいて、音楽再生部２３に、変更後のアルバムのフォルダに格納された音楽ファイル（トラック）の再生を開始させる。例えば、アルバムＡの音楽ファイルを再生中に、ステアリングスイッチ４０の操作によってアルバムＢが選択されると、音楽再生部２３は、その選択の直後から、アルバムＢ内における前回の再生終了時点の音楽ファイルを再生する。
【００４５】
また、オーディオ制御部２１は、図３のステップＳ３０において、ステアリングスイッチ４０からの指令信号に基づいて、表示ディスプレイ２５に、変更後の楽曲が属するフォルダ情報とトラック情報を表示させる。
【００４６】
この際、フォルダ情報やトラック情報に加えて、図５（ａ）に示すように、例えば、ステアリングスイッチ４０の操作によって選択されたアルバムに格納されている全ての音楽ファイルの曲名情報のリストを、表示ディスプレイ２５に縦方向に並べて表示する。同図に示す例では、“PPP”，“QQQ”，“RRR”，“SSS”，“TTT”，“UUU”，“VVV”（いずれも曲名の例を示す。）の７つの曲名からなるリストが表示されており、現在再生中の音楽ファイルの曲名“RRR”がハイライト表示されている。なお、曲名情報に代えて、アルバムに格納されている音楽ファイルのファイル名情報やトラック情報のリストを表示ディスプレイ２５に表示してもよい。
【００４７】
さらに、オーディオ制御部２１は、上記のように変更後のアルバムの音楽ファイルを音楽再生部２３に再生しつつ、図３のステップＳ４０において、操作内容情報として、変更後のアルバム情報をメータユニット３０に送信する。
【００４８】
そして、メータユニット３０のメータ制御部３１は、図３のステップＳ５０において、オーディオユニット２０から送信されたアルバム情報をメータディスプレイ３３に表示させる。この際、図４（ｃ）に示すように、メータディスプレイ３３の画面の中央には、運転者が必要とする画像３３２を維持しつつ、当該画面の上部に、変更後のアルバム情報３３３（操作内容情報）を表示する。図４（ｃ）に示す例では、変更後のアルバム情報３３３として“AAABBBCCCDDD”（アルバム名）が表示されている。
【００４９】
なお、運転者のメータディスプレイ３３の視認性や可読性を考慮した上で、アルバム情報３３３に加えて、オーディオユニット２０が現在処理している内容等に関する情報３３４を表示してもよい。図４（ｃ）に示す例では、オーディオユニット２０のオーディオ情報３３４として“ＣＤ”（オーディオソース名）が表示されている。
【００５０】
そして、運転者は、図３のステップＳ６０において、ステアリングスイッチ３０を上下方向に操作することによって、表示ディスプレイ２５上に表示されたリスト中のハイライト表示を上下方向に移動させて、再生したい音楽ファイルを選択することができる。
【００５１】
例えば、曲名“RRR”が再生されている状態（図５（ａ）参照）から、ステアリングスイッチ４０の上方向への操作によって、図５（ｂ）に示すように、曲名“RRR”の下の曲名“SSS”が選択されると、その瞬間に曲名”SSS”の音楽ファイルが音楽再生部２３によって再生される（図３のステップＳ７０）。なお、図５（ｂ）に示すように、表示ディスプレイ２５上では、このステアリングスイッチ３０の操作に伴って、曲名“RRR”に代わって、選択された曲名“SSS”がハイライト表示される。
【００５２】
同様に、特に図示しないが、ステアリングスイッチ４０の下方向への操作によって、曲名“RRR”の上の曲名“QQQ”が選択されると、その瞬間に曲名“QQQ”の音楽ファイルが再生される。因みに、運転者がステアリングスイッチ３０を同じ方向に操作し続けると、そのアルバムに格納されている音楽ファイルの先頭部分を順次再生されるようになっており、運転者は当該先頭部分を順次試聴することで所望の曲を選ぶことが可能となっている。
【００５３】
なお、本実施形態では、ステアリングスイッチ４０の上方向の操作を、再生中の音楽ファイルの前の音楽ファイルを選択する動作に対応付け、ステアリングスイッチ４０の下方向の操作を、再生中の音楽ファイルの後の音楽ファイルを選択する動作に対応付けているが、特にこれに限定されない。
【００５４】
本実施形態では、このステップＳ６０〜Ｓ７０において、運転者がステアリングスイッチ４０の操作によって任意の音楽ファイルが選択され当該音楽ファイルの再生が開始されても、メータディスプレイ３３では、その音楽ファイル選択前の操作内容情報（本例では、上述の「変更後のアルバム情報３３３」）の表示を継続し（すなわち、図４（ｃ）の状態を継続し）、当該選択された音楽ファイルの曲名情報、ファイル名情報又はトラック情報はメータディスプレイ３３に一切表示しない。このため、運転者は選曲後でも直前の操作内容を確認することができる。
【００５５】
上述の例では、運転者がステアリングスイッチ４０を操作することでアルバムを変更する場合について説明したが、運転者がオーディオユニット２０の操作入力部２４を操作することで、アルバムを変更してもよい。
【００５６】
この場合の制御フローとしては、上述の図３のステップＳ２０において、指令信号がオーディオユニット２０内で操作入力部２４からオーディオ制御部２１に送信される点を除いて、上述した図３と同様である。
【００５７】
また、上述の実施例では、運転者がアルバムを変更する場合について説明したが、運転者がアーティストやジャンルを変更してもよい。
【００５８】
運転者がアーティストを変更した場合には、オーディオユニット２０は、図３のステップＳ２０において、変更後のアーティストのフォルダに格納された音楽ファイルを再生し、同図のステップＳ４０において、操作内容情報として変更後のアーティスト情報をメータユニット３０に送信する。次いで、同図のステップＳ５０において、メータディスプレイ３３は、画面の上部に変更後のアーティスト情報（例えば、“モーツァルト”等）を表示する。
【００５９】
一方、運転者がジャンル情報を変更した場合には、オーディオユニット２０は、図３のステップＳ２０において、変更後のジャンルのフォルダに格納された音楽ファイルを再生し、同図のステップＳ４０において、操作内容情報として変更後のジャンル情報をメータユニット３０に送信する。次いで、同図のステップＳ５０において、メータディスプレイ３３は、画面の上部に変更後のジャンル情報（例えば、“Pops”，“Classic”，又は“Jazz”等）を表示する。
【００６０】
なお、上述した実施形態では、音楽ファイルの区分として、ジャンル、アーティスト、アルバムの３つを例示したが、特にこれに限定されず、オーディオユニット２０の記憶部２２において、ジャンル、アーティスト、アルバム以外の要素で区分されたフォルダの中に、下位フォルダや楽曲ファイルを格納してもよい。
【００６１】
この場合には、運転者は操作入力部２４又はステアリングスイッチ４０を操作することで、ジャンル、アーティスト、アルバム以外の区分のフォルダを選択することが可能となっている。そして、音楽再生部２３は当該フォルダ内に格納された音楽ファイルを実行すると共に、メータユニット３０は操作内容情報としてそのフォルダ情報をメータディスプレイ３３に表示する。
【００６２】
以上のように、本実施形態では、運転者が操作入力部２４又はステアリングスイッチ４０の操作によりオーディオユニット２０に指示された操作内容情報が、メータユニット３０のメータディスプレイ３３に表示されるので、運転者はメータディスプレイ３３を介して指示内容を容易に確認することができる。
【００６３】
特に、この操作内容情報は、操作入力部２４又はステアリングスイッチ４０の操作に基づいてオーディオシステム２０が実行した最終的な操作結果とは相違している。このため、運転者は、自身の操作による操作結果ではなく、意図した操作をオーディオユニット２０に適切に指示できたかを容易に確認することができる。
【００６４】
また、本実施形態における操作内容情報には、例えばジャンル情報、アーティスト情報、アルバム情報、又はフォルダ情報が含まれる。運転者の操作によってジャンル、アーティスト、アルバム、又はフォルダが変更された場合に、それらに属する音楽ファイルが再生されたりその曲名が表示されるだけでは、運転者は意図する指示が反映されたか把握し難い。これに対し、本実施形態では、変更後のジャンル情報、アーティスト情報、アルバム情報、又はフォルダ情報をメータディスプレイ３３に表示するので、運転者は意図した指示が反映されたか容易に確認することができる。
【００６５】
また、本実施形態では、車輛情報を表示するメータディスプレイに操作内容情報を表示するので、操作内容情報を表示するための専用のディスプレイを設ける必要がなく、スペースを有効活用することができる。
【００６６】
本実施形態における自動車１が本発明における車輛の一例に相当し、本実施形態におけるメータディスプレイ３３が本発明における表示部の一例に相当し、本実施形態における記憶部２２が本発明における記憶手段の一例に相当し、本実施形態における音楽再生部２３が本発明における再生手段の一例に相当する。
【００６７】
なお、以上に説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００６８】
１…自動車
２…ステアリングホイール
１０…車輛情報表示装置
２０…オーディオユニット
２１…オーディオ制御部
２２…記憶部
２３…音楽再生部
２４…操作入力部
２５…表示ディスプレイ
２６…第１の外部機器接続部
２７…第２の外部機器接続部
３０…メータユニット
３１…メータ制御部
３２…メータ
３３…メータディスプレイ
４０…ステアリングスイッチ
【図１】
0005578283.tif 000002
【図２】
0005578283.tif 000003
【図３】
0005578283.tif 000004
【図４】
0005578283.tif 000005
【図５】
0005578283.tif 000006